(57)【特許請求の範囲】
【請求項１】
押し下げ動作により容器内の液体を噴射するポンプステムを押し下げ可能に支持して容器の口部に固定される装置本体と、一端が前記装置本体に回動可能に支持されて回動操作時に前記ポンプステムを押し下げるステム駆動レバーと、前記ポンプステムを押し下げない位置に前記ステム駆動レバーを固定するロック機構とを備えるフィンガーポンプ装置において、
前記ロック機構は、
前記ステム駆動レバー上に設定されたロック位置とロック解除位置との間を移動可能に前記ステム駆動レバーに組み付けられた切換部材と、
前記切換部材が前記ロック位置にあるときに該切換部材が当接するように前記装置本体上に突設されて、前記切換部材との当接により前記ステム駆動レバーの回動を規制するストッパ突起と、を有し、
前記切換部材は、前記ステム駆動レバーの内部に設けられたスライドガイド穴の内部をスライド移動可能に設けられていることを特徴とするフィンガーポンプ装置。
【発明の詳細な説明】
【技術分野】
【０００１】
本発明は、容器の口部に装着して使用され、装置に具備したステム駆動レバーを操作するとポンプステムが押し下げられて容器内の液体を噴射するフィンガーポンプ装置に関する。
【背景技術】
【０００２】
上記フィンガーポンプ装置は、例えば、ペットボトルやガラス瓶等の容器の口部に装着することで、容器の内部の液体の噴射を可能にするもので、例えば、液体洗剤や香水等の噴射、あるいは殺虫用の薬液の噴射など、各種の用途に利用可能である。
【０００３】
図１０は、上記フィンガーポンプ装置の従来例を示したものである。
ここに示したフィンガーポンプ装置１は、下記特許文献１に開示されたもので、容器３の口部にねじ込み等により固定される装置本体５と、該装置本体５の軸中心部に押し下げ可能に支持されて押し下げ動作により容器３内の液体をステム先端の噴射ヘッド７から噴射するポンプステム９と、一端が装置本体５に回動可能に支持されて回動操作時にポンプステム９を押し下げるステム駆動レバー１１と、持ち運び時に誤ってステム駆動レバー１１を回動させないように、ポンプステム９を押し下げない位置にステム駆動レバー１１を固定するロック機構１３と、を備えている。
【０００４】
ステム駆動レバー１１は、図１１に示すように、ポンプステム９の後方に延出している一端が、装置本体５に一体形成されたレバー支持部１７に、支持ピン１５により回転自在に結合されている。
【０００５】
ロック機構１３は、図１１に示すように、装置本体５に係合するピン２１によって装置本体５に回動可能に結合されたレバー部材２３に、ステム駆動レバー１１の動きを規制するストッパ片２４を一体形成したものである。
レバー部材２３は、図１１に矢印Ｘで示すように、ピン２１を中心として回動し、図１０（ａ）に示すロック位置に位置決めされた状態と、図１０（ｂ）に示すロック解除位置に位置決めされた状態に位置切替することができる。
【０００６】
レバー部材２３が図１０（ａ）に示したロック位置に回動した状態では、ストッパ片２４が図１１に示したように装置本体５とステム駆動レバー１１との間の隙間に挟まり、ポンプステム９を押し下げる方向へのステム駆動レバー１１の回動を規制する。
レバー部材２３が図１０（ｂ）に示したロック解除位置に回動した状態では、レバー部材２３の回動に伴ってストッパ片２４が装置本体５とステム駆動レバー１１との間の隙間から離脱して、ポンプステム９を押し下げる方向へステム駆動レバー１１を回動させることが可能になる。
【０００７】
【特許文献１】特開２００４−２０９３１９号公報
【発明の開示】
【発明が解決しようとする課題】
【０００８】
ところが、前述したフィンガーポンプ装置１を組み立てる際には、ステム駆動レバー１１を装置本体５に組み付ける前に、ロック機構１３を構成するレバー部材２３を装置本体５に組み付けることが必要不可欠となり、組み付け工程の優先順位があるために、誤ってステム駆動レバー１１を先に装置本体５に組み付けると、ステム駆動レバー１１を取り外して作業をやり直さなければならない。
更に、ステム駆動レバー１１を装置本体５に取り付ける際に、先に装置本体５に取り付けられているレバー部材２３が、ステム駆動レバー１１の取付位置付近で揺動するため、ステム駆動レバー１１の取付作業が行い難い場合がある。
【０００９】
そこで、本発明の目的は上記課題を解消することに係り、組み付け順位を誤ると作業がやり直しになるといった不便がなく、更に、ステム駆動レバーを装置本体に組み付ける際に、ロック機構が作業の邪魔になることがなく、ステム駆動レバーの取り付けを容易にして、生産性を向上させることのできるフィンガーポンプ装置を提供することである。
【課題を解決するための手段】
【００１０】
本発明は上記課題を解決するためになされたものであって、押し下げ動作により容器内の液体を噴射するポンプステムを押し下げ可能に支持して容器の口部に固定される装置本体と、一端が前記装置本体に回動可能に支持されて回動操作時に前記ポンプステムを押し下げるステム駆動レバーと、前記ポンプステムを押し下げない位置に前記ステム駆動レバーを固定するロック機構とを備えるフィンガーポンプ装置において、
前記ロック機構は、
前記ステム駆動レバー上に設定されたロック位置とロック解除位置との間を移動可能に前記ステム駆動レバーに組み付けられた切換部材と、
前記切換部材が前記ロック位置にあるときに該切換部材が当接するように前記装置本体上に突設されて、前記切換部材との当接により前記ステム駆動レバーの回動を規制するストッパ突起と、を有し、
前記切換部材は、前記ステム駆動レバーの内部に設けられたスライドガイド穴の内部をスライド移動可能に設けられていることを特徴とする。
【００１１】
上記構成によれば、ロック機構として装置本体とは別体に製造される切換部材は、装置本体に組み付けるステム駆動レバーに対して組み付けられるもので、組み付けタイミングが、装置本体にステム駆動レバーを組み付けた後でも、装置本体にステム駆動レバーを組み付ける前でも、いずれも可能であり、組み付け順位を誤ると作業がやり直しになるといった不便が生じない。
【００１２】
また、ロック機構を構成する切換部材は、装置本体にステム駆動レバーを組み付けた後で、ステム駆動レバーに組み付けるようにすれば、ステム駆動レバーを装置本体に取り付ける際に、ロック機構となる切換部材の出っ張り等が取り付け作業を邪魔することがなく、ステム駆動レバーの取り付けが容易になることによって、フィンガーポンプ装置の生産性を向上させることができる。
【発明を実施するための最良の形態】
【００１３】
以下、本発明に係るフィンガーポンプ装置１の好適な実施の形態について、図面を参照して詳細に説明する。
【００１４】
図１は本発明に係るフィンガーポンプ装置の一実施の形態の側面図で、ステム駆動レバーがロック機構によりロックされている状態の側面図、図２は図１のＡ矢視図、図３は図２のＢ−Ｂ断面図、図４は図３に示したステム駆動レバーと切換部材とを後方の斜め上方から見た分解斜視図、図５は図３に示したステム駆動レバーと切換部材とを前方の斜め下方から見た分解斜視図、図６は本発明に係るフィンガーポンプ装置の一実施の形態の側面図で、ステム駆動レバーがロック機構によりロック解除されている状態の側面図、図７は図６のＣ矢視図、図８は図７のＤ−Ｄ断面図、図９は図８に示したロック解除状態でステム駆動レバーが回動した状態を示す縦断面図である。
【００１５】
この一実施の形態のフィンガーポンプ装置３１は、不図示の容器の口部にねじ込み等により固定される装置本体３３と、該装置本体３３の軸中心部に押し下げ可能に支持されて押し下げ動作により容器内の液体をステム先端の噴射ヘッド７から噴射するポンプステム９と、一端が装置本体３３に回動可能に支持されて回動操作時にポンプステム９を押し下げるステム駆動レバー３５と、持ち運び時に誤ってステム駆動レバー３５を回動させないように、ポンプステム９を押し下げない位置にステム駆動レバー３５を固定するロック機構３７とを備えている。
【００１６】
ステム駆動レバー３５は、図３に示すように、ポンプステム９の後方に延出している一端３５ａが、装置本体３３に一体形成されたレバー支持部３９に、支持ピン４１により回転自在に結合されている。図４の符合３５ｄは、支持ピン４１を嵌入させる穴である。
【００１７】
ステム駆動レバー３５は、図３に示すように、噴射ヘッド７に対応する位置に、噴射ヘッド７を挿通させるヘッド挿通穴３５ｂが形成されている。このヘッド挿通穴３５ｂは、ステム駆動レバー３５の回動方向に沿って長い長穴に形成されている。
【００１８】
ヘッド挿通穴３５ｂよりも先方に延出したステム駆動レバー３５の他端３５ｃは、指を掛けやすいように、斜め下方に傾斜している。
【００１９】
本実施の形態の場合、ロック機構３７は、図３から図５に示すようにステム駆動レバー３５に装着される切換部材４３と、装置本体３３上に突設されたストッパ突起４５とで構成されている。
【００２０】
切換部材４３には、図４及び図５に示したようにステム駆動レバー３５に形成されたスライドガイド穴４７に挿入されるガイドブロック４８が突設されている。
切換部材４３は、ガイドブロック４８をスライドガイド穴４７に嵌合させることにより、ステム駆動レバー３５上に設定されたロック位置とロック解除位置との間をステム駆動レバー３５の前後方向に略水平にスライド移動可能にステム駆動レバー３５に組み付けられる。
【００２１】
図３は、ガイドブロック４８がスライドガイド穴４７の一番奥まで押し込まれて、スライドガイド穴４７の開口部の上縁４７ａにガイドブロック４８の基端の段差部４３ａが当接して、切換部材４３が停止している状態を示している。この図３に示した停止位置が、ロック位置である。
【００２２】
一方、切換部材４３は、図３に示すロック位置から矢印Ｅ方向に引き出すと、図８に示すように、ガイドブロック４８内に装備されている弾性係止片５１の突起５１ａが、スライドガイド穴４７の開口部の下縁に装備された抜け止め突起４７ｂに係合して、停止した状態になる。この図８に示した停止位置が、ロック解除位置である。
【００２３】
ロック位置からロック解除位置に切換部材４３を移動させるための切換部材４３の引き出し操作は、楕円の樽形を呈している切換部材４３の両側面を把持して行う。
【００２４】
通常は必要ないが、ステム駆動レバー３５に装着された切換部材４３を、ステム駆動レバー３５から取り外す方法について説明する。
図７及び図８に示すように、切換部材４３をロック解除位置に移動させたときには、弾性係止片５１の先方の隙間５３が、ステム駆動レバー３５の上面側に露出した状態になる。従って、切換部材４３の上方からこの隙間５３に針金等のフック部材を差し込んで、突起５１ａを上方に引き起こすことで、突起５１ａと抜け止め突起４７ｂとの係合を外すことができ、突起５１ａと抜け止め突起４７ｂとの係合が外れた状態で切換部材４３を引き出せば、切換部材４３をステム駆動レバー３５から取り外すことができる。
【００２５】
ストッパ突起４５は、図３に示したように切換部材４３がロック位置にあるときに、該切換部材４３のガイドブロック４８の下縁４８ａが当接するように、装置本体３３上に突設されていて、この切換部材４３のガイドブロック４８との当接によりステム駆動レバー３５の回動を規制する。
【００２６】
ストッパ突起４５は、ガイドブロック４８の幅方向に延在する板部４５ａの頂部が、ガイドブロック４８の下縁４８ａに当接するもので、板部４５ａには、その両側に該板部４５ａに直交する補強リブ４５ｂが連設されて、十分な座屈強度を得るようになっている。
補強リブ４５ｂは、レバー支持部３９の一部を兼ねている。
【００２７】
切換部材４３が、図８に示すようにロック解除位置に有るときには、ガイドブロック４８がストッパ突起４５の上方から退避していて、ロック機構３７によるロック機能は働かない。
【００２８】
以上に説明したフィンガーポンプ装置３１は、図８に示したように切換部材４３がロック解除位置にある状態で、ステム駆動レバー３５の他端３５ｃを装置本体３３側に引くと、図９に示すように、ステム駆動レバー３５が支持ピン４１を中心に下方に回動し、ヘッド挿通穴３５ｂの上縁部５５が噴射ヘッド７に当接し、噴射ヘッド７を押し下げる。
これによりポンプステム９が押し下げられて、ポンプステム９のポンプ動作により容器内の液体が噴射ヘッド７から噴射される。
ステム駆動レバー３５の他端３５ｃを引く力を解除すると、ポンプステム９の復元力又は不図示の戻りばねによる復元力で、ステム駆動レバー３５は図８に示した状態に戻る。
【００２９】
以上に説明したフィンガーポンプ装置３１では、ロック機構３７として装置本体３３とは別体に製造される切換部材４３は、装置本体３３に組み付けるステム駆動レバー３５に対して組み付けられるもので、組み付けタイミングが、装置本体３３にステム駆動レバー３５を組み付けた後でも、装置本体３３にステム駆動レバー３５を組み付ける前でも、いずれも可能であり、組み付け順位を誤ると作業がやり直しになるといった不便が生じない。
【００３０】
また、ロック機構３７を構成する切換部材４３は、装置本体３３にステム駆動レバー３５を組み付けた後で、ステム駆動レバー３５に組み付けるようにすれば、ステム駆動レバー３５を装置本体３３に取り付ける際に、ロック機構３７となる切換部材４３の出っ張り等が取り付け作業を邪魔することがなく、ステム駆動レバー３５の取り付けが容易になることによって、フィンガーポンプ装置の生産性を向上させることができる。
【００３１】
なお、本発明に係るフィンガーポンプ装置において、ステム駆動レバー上での切換部材の移動形態は、上記実施の形態に示した直線的なスライド移動に限らない。例えば、切換部材がステム駆動レバーに回動可能に取り付けられる構成に設計変更することも可能である。
【図面の簡単な説明】
【００３２】
【図１】本発明に係るフィンガーポンプ装置の一実施の形態の側面図で、ステム駆動レバーがロック機構によりロックされている状態の側面図である。
【図２】図１のＡ矢視図である。
【図３】図２のＢ−Ｂ断面図である。
【図４】図３に示したステム駆動レバーと切換部材とを後方の斜め上方から見た分解斜視図である。
【図５】図３に示したステム駆動レバーと切換部材とを前方の斜め下方から見た分解斜視図である。
【図６】本発明に係るフィンガーポンプ装置の一実施の形態の側面図で、ステム駆動レバーがロック機構によりロック解除されている状態の側面図である。
【図７】図６のＣ矢視図である。
【図８】図７のＤ−Ｄ断面図である。
【図９】図８に示したロック解除状態でステム駆動レバーが回動した状態を示す縦断面図である。
【図１０】（ａ）は従来のフィンガーポンプ装置のロック機構がロック位置に有るときの側面図、（ｂ）は同ロック機構がロック解除位置に有るときの側面図である。
【図１１】図１０に示したフィンガーポンプ装置においてロック機構の取付位置を示す装置本体及びステム駆動レバーの断面図である。
【符号の説明】
【００３３】
７：噴射ヘッド、９：ポンプステム、３１：フィンガーポンプ装置、３３：装置本体、３５：ステム駆動レバー、３５ａ：一端、３５ｂ：ヘッド挿通穴、３５ｃ：他端、３５ｄ：穴、３７：ロック機構、３９：レバー支持部、４１：支持ピン、４３：切換部材、４３ａ：段差部、４５：ストッパ突起、４５ａ：板部、４５ｂ：補強リブ、４７：スライドガイド穴、４７ａ：上縁、４７ｂ：抜け止め突起、４８：ガイドブロック、５１：弾性係止片、５１ａ：突起、５３：隙間、５５：上縁部
【図１】
0005273967.tif 000002
【図２】
0005273967.tif 000003
【図３】
0005273967.tif 000004
【図４】
0005273967.tif 000005
【図５】
0005273967.tif 000006
【図６】
0005273967.tif 000007
【図７】
0005273967.tif 000008
【図８】
0005273967.tif 000009
【図９】
0005273967.tif 000010
【図１０】
0005273967.tif 000011
【図１１】
0005273967.tif 000012